(57)【特許請求の範囲】
【請求項１】
壁面に設けられた通気口の周縁部に固定されるリング状のベースと、該ベースに着脱自在に取り付けられるカバーと、該カバー及び前記ベース間に保持されるフィルター膜とを備え、前記ベースの中央開口部を介して流入した空気を、前記フィルター膜で濾過して、前記カバーに設けられた開口部より室内へ流入するエアフィルターにおいて、
リング状の前記ベースを幅広に形成し、該ベースに、前記中央開口部の外周部に延在し小径の通気口の周縁部に固定されるリング状の小径用固定領域と、該小径用固定領域の外周部に延在し中径の通気口の周縁部に固定されるリング状の中径用固定領域と、該中径用固定領域の外周部に延在し大径の通気口の周縁部に固定されるリング状の大径用固定領域とを設定したことを特徴とするエアフィルター。
【請求項２】
前記カバーに、前記ベース側へ突出する起立壁を設けるとともに、前記ベースに、前記カバーが取り付けられた状態で前記起立壁の側面に接触又は近接して配置される保持用リブを立設し、該保持用リブ及び前記起立壁間に前記フィルター膜を挟持する挟持構造を構成したことを特徴とする請求項１記載のエアフィルター。
【請求項３】
前記ベースに設定された各固定領域の境界部分の少なくとも一箇所に段差部を設け、該段差部外周側の外側領域を、内側領域より固定面側に突出させたことを特徴とする請求項１又は２記載のエアフィルター。
【請求項４】
前記カバーに、前記ベース側へ突出して前記フィルター膜のカバーへの密着を阻止する突起を設けたことを特徴とする請求項１、２又は３記載のエアフィルター。
【発明の詳細な説明】
【０００１】
【発明の属する技術分野】
本発明は、マンション等の壁面に設けられた通気口に取り付けて使用するフィルターに関する。
【０００２】
【従来の技術】
従来、マンション等の壁面には、外部と室内とを連通する連通穴が設けられており、該連通穴には、空気の通流量を可変する通流制御器が設けられ、通気口が確保されている。この通気口からの花粉や粉塵の進入を防止する際には、前記通流制御器にエアフィルターを取り付けていた。
【０００３】
このエアフィルターは、前記通気口の開口部周縁、すなわち前記通流制御器の周縁を形成するフランジ部に両面テープで固定されるベースと、該ベースに着脱自在に取り付けられるカバーとを備えてなり、該カバーとベース間に、花粉や粉塵の進入を阻止するフィルター膜を配置した状態で保持できるように構成されている。
【０００４】
前記ベースは、前記通気口の大きさに適合、つまり前記通流制御器のフランジ部に適合した外形寸法の円板状に形成されているとともに、その中央部には、前記通流制御器によって形成された通気口の内径に適合した中央開口部が設けられており、リング状に形成されている。また、前記カバーには、空気が通流する開口部が設けられており、前記通流制御器の通気口から前記ベースの中央開口部を介して流入した空気を、前記フィルター膜で濾過して、当該カバーの開口部より室内へ流入できるように構成されている。
【０００５】
【発明が解決しようとする課題】
しかしながら、このような従来のエアフィルターにあっては、両面テープで固定されるベースが通気口に応じた大きさに形成されており、前記ベースが適合する大きさの通気口以外に取り付けることができなかった。
【０００６】
ここで、前記通気口は、開口面積が大きな順に、大径、中径、及び小径の三種類の規格があり、室内面積に応じた開口面積の通気口を有した通流制御器が選択的に取り付けられるように構成されている。このため、各通気口に適合するベースを有したエアフィルターを個別に形成し、販売しなければならず、低コスト化の阻害要因となっていた。
【０００７】
また、前記ベースの大きさが適合しなかった場合、購入後に返品されることもあった。
【０００８】
本発明は、これら従来の課題に鑑みてなされたものであり、低コスト化を図ることができるとともに、適応範囲の広いエアフィルターを提供することを目的とするものである。
【０００９】
【課題を解決するための手段】
前記課題を解決するために本発明の請求項１のエアフィルターにあっては、壁面に設けられた通気口の周縁部に固定されるリング状のベースと、該ベースに着脱自在に取り付けられるカバーと、該カバー及び前記ベース間に保持されるフィルター膜とを備え、前記ベースの中央開口部を介して流入した空気を、前記フィルター膜で濾過して、前記カバーに設けられた開口部より室内へ流入するエアフィルターにおいて、リング状の前記ベースを幅広に形成し、該ベースに、前記中央開口部の外周部に延在し小径の通気口の周縁部に固定されるリング状の小径用固定領域と、該小径用固定領域の外周部に延在し中径の通気口の周縁部に固定されるリング状の中径用固定領域と、該中径用固定領域の外周部に延在し大径の通気口の周縁部に固定されるリング状の大径用固定領域とを設定した。
【００１０】
すなわち、このエアフィルターを取り付ける際には、リング状のベースを壁面の通気口の周縁部に固定するとともに、このベースとカバー間にフィルター膜を配置して、前記カバーをベースに取り付ける。
【００１１】
このとき、前記ベースは幅広に形成されており、中央開口部より外側へ向かうに従って、小径用固定領域と中径用固定領域と大径用固定領域とが順に設定されている。このため、小径の通気口に取り付ける際には、内側の小径用固定領域が通気口の周縁部に密着的に固定され、中径の通気口に取り付ける際には、中間に設定された前記中径用固定領域が通気口の周縁部に密着的に固定される。そして、大径の通気口に取り付ける際には、外側の大径用固定領域が通気口の周縁部に密着的に固定される。
【００１２】
また、請求項２のエアフィルターにおいては、前記カバーに、前記ベース側へ突出する起立壁を設けるとともに、前記ベースに、前記カバーが取り付けられた状態で前記起立壁の側面に接触又は近接して配置される保持用リブを立設し、該保持用リブ及び前記起立壁間に前記フィルター膜を挟持する挟持構造を構成した。
【００１３】
すなわち、ベースとカバー間に設けられたフィルター膜は、前記カバーに設けられた起立壁の側面と、前記ベースに設けられた保持用リブの側面との間に挟持された状態で保持される。
【００１４】
さらに、請求項３のエアフィルターでは、前記ベースに設定された各固定領域の境界部分の少なくとも一箇所に段差部を設け、該段差部外周側の外側領域を、内側領域より固定面側に突出させた。
【００１５】
すなわち、ベースに設定された各固定領域の境界部分の少なくとも一箇所に段差部が形成されており、該段差部外周側の外側領域が、内側領域より固定面側に突出されている。このため、この突出された部位を通気口の周縁部に固定した状態で、前記内側領域と固定部位との間に逃げ代が確保される。
【００１６】
加えて、請求項４のエアフィルターにあっては、前記カバーに、前記ベース側へ突出して前記フィルター膜のカバーへの密着を阻止する突起を設けた。
【００１７】
すなわち、前記カバーには、前記ベース側へ突出する突起が設けられており、保持されたフィルター膜のカバーへの密着が防止される。これにより、該カバーとフィルター膜との間に、空気が通流する通流空間が確保される。
【００１８】
【発明の実施の形態】
以下、本発明の一実施の形態を図に従って説明する。図１〜図６は、本実施の形態にかかるエアフィルター１を示す図であり、該エアフィルター１は、通気口２に取り付けられて使用されるものである。
【００１９】
すなわち、図６に示したように、マンション等の壁面１１には、室外Ｏと室内Ｉとを連通する連通穴１２が開設されており、該連通穴１２には、空気の通流量を可変する通流制御器１３が内嵌した状態で取り付けられている。この通流制御器１３は、前記連通穴１２に挿入される円筒部１４と、該円筒部１４の端部に設けられたフランジ部１５とが一体形成された本体を備えており、前記フランジ部１５が室内Ｉ側の壁面１１に密着した状態で固定されている。また、前記円筒部１４によって形成された前記通気口２には、例えば開口面積を可変する図外の蓋部が開閉自在に設けられており、当該通流制御器１３の前記円筒部１４中央には、前記蓋部の開度を調整する図外のツマミが室内Ｉ側へ突設されている。そして、この通流制御器１３において、前記通気口２からの花粉や粉塵の進入を防止する際には、当該通流制御器１３に前記エアフィルター１を取り付ける。
【００２０】
このエアフィルター１は、前記通気口２の周縁部、すなわち前記通流制御器１３のフランジ部１５に両面テープ２１を介して固定されるベース２２と、該ベース２２に着脱自在に取り付けられるカバー２３と、該カバー２３及び前記ベース２２間に保持される不織布製のフィルター膜２４とによって構成されており、前記ベース２２を介して室外Ｏから流入した空気を、前記フィルター膜２４で濾過して、前記カバー２３の後述する開口部から室内Ｉへ流入できるように構成されている。
【００２１】
前記ベース２２は、図１に示したように、円形リング板状に形成されており、中央部には、円形の中央開口部３１が開設されている。リング状に形成されたベース２２は、従来のものより幅広に形成されており、当該ベース２２には、前記中央開口部３１の外周部に沿ってリング状に延在する小径用固定領域３２が設定されている。該小径用固定領域３２の外周部には、リング状の中径用固定領域３３が設定されており、該中径用固定領域３３の外周部には、リング状の大径用固定領域３４が設定されている。
【００２２】
前記小径用固定領域３２は、図２に示したように、小径の通気口２ａを有した通流制御器１３ａのフランジ部１５ａに適合した大きさに設定されており、当該通流制御器１３ａのフランジ部１５ａに、両面テープ２１ａによって密着して固定されるように構成されている。また、前記中径用固定領域３３は、中径の通気口２ｂを有した通流制御器１３ｂのフランジ部１５ｂに適合した大きさに設定されており、当該通流制御器１３ｂのフランジ部１５ｂに、両面テープ２１ｂによって密着して固定されるように構成されている。さらに、前記大径用固定領域３４は、大径の通気口２ｃを有した通流制御器１３ｃのフランジ部１５ｃに適合した大きさに設定されており、当該通流制御器１３ｃのフランジ部１５ｃに、両面テープ２１ｃによって密着して固定されるように構成されている。
【００２３】
これら各固定領域３２〜３４は、前記中央開口部３１と同心円上に形成されており、各固定領域３２〜３４を、対応した通流制御器１３ａ〜１３ｃのフランジ部１５ａ〜１５ｃに固定した状態で、前記中央開口部３１の中心Ｃ１が各通流制御器１３ａ〜１３ｃの通気口２ａ〜２ｃの中心に位置するように構成されている。
【００２４】
このベース２２に設定された前記中径用固定領域３３と大径用固定領域３４との境界部分４１には、図３に示したように、段差部４２が形成されており、該段差部４２外周側の外側領域４３は、前記段差部４２の内側領域４４より、前記通流制御器１３のフランジ部１５に固定される室外Ｏ方向の固定面４５側に突出されている。
【００２５】
また、前記ベース２２の周縁には、室内Ｉ方向へ突出する嵌合部５１が全周に渡って形成されており、該嵌合部５１には、図１及び図６にも示したように、前記カバー２３を着脱自在とする雄ねじとしての突条５２が四箇所に突設されている。この嵌合部５１の内側には、該嵌合部５１よりさらに室内Ｉ方向へ突出する高さ寸法の保持用リブ５３が形成されており、該保持用リブ５３は、図１〜図３に示したように、当該ベース２２を中心として前記境界部４１に沿って延在する円筒状に形成されている。
【００２６】
前記カバー２３は、図４に示したように、前記ベース２２に適合した円板状に形成されており、図５にも示したように、その中央部が室内Ｉ方向へ膨出するような球面状に形成されている。このカバー２３の周縁には、室外Ｏ方向へ向けて突出する外嵌部６１が全周に渡って形成されている。この外嵌部６１の内側面には、フランジ６２が突設されており、該フランジ６２は、欠損されてなる切欠部６３，・・・によって四分割されている。この切欠部６３，・・・は、当該外嵌部６１を前記ベース２２の嵌合部５１に外嵌する際に、該嵌合部５１に設けられた突条５２を挿通できる大きさに形成されている。これにより、この切欠部６３を前記ベース２２の前記突条５２に合わせて、当該カバー２３を前記ベース２２に嵌着した後、前記カバー２３を回転して、前記切欠部６３と前記突条５２の位置をずらすことによって、当該カバー２３を前記ベース２２に固定できるように構成されている。
【００２７】
このカバー２３には、図４に示したように、ハート形の開口部７１，・・・が３箇所に開設されており、各開口部７１，・・・を介して空気が通流するように構成されている。これらの開口部７１，・・・が配置された仮想円上には、同形状の凹部７２が一箇所に形成されており、該凹部７２と前記開口部７１，・・・とによって四つ葉のクローバー状の意匠７３が形成されている。
【００２８】
そして、各開口部７１，・・・からは内部のフィルター膜２４が目視可能になっており、該各開口部７１，・・・からは、使用に従って内部のフィルター膜２４の汚れ具合が確認できるようになっている。従って、フィルター膜２４の交換時期を容易に判断することができる。
【００２９】
また、前記意匠７３の対象位置には、波形状の切り込み部７４が形成されており、該切り込み部７４より外周部側には、図４及び図５に示したように、室外Ｏ側に後退した後退部７５が形成されている。これにより、前記切り込み部７４と前記後退部７５との間には、スリット７６が開設されており、該スリット７６を介して空気が通流するように構成されている。
【００３０】
前記カバー２３の外周部には、前記ベース２２側である室外Ｏ側に突出する起立壁８２が全周に亘って設けられている（図４参照）。該起立壁８２は、当該カバー２３を中心とした円弧状に形成されている。この起立壁８２は、図６に示したように、前記ベース２２に取り付けた状態で、該ベース２２の前記保持用リブ５３の内側に配置されるように構成されており、この状態において、保持用リブ５３の内側面に接触又は近接するように構成されている。この起立壁８２と前記保持用リブ５３とによって、前記フィルター膜２４を、当該起立壁８２と前記保持用リブ５３間に挟持する挟持構造８３が構成されている。また、前記カバー２３には、前記ベース２２側である室外Ｏ側に突出する前記フィルター膜２４の仮止め用リブ１０１，・・・が八箇所に設けられており、仮止め用リブ１０１，・・・の先端には、返し１０２，・・・が設けられている。各仮止め用リブ１０１，・・・及び返し１０２，・・・は、フィルター膜２４をカバー２３にセットした際、フィルター膜２４の周縁がカバー２３の仮止め用リブ１０１の返し１０２に掛け止めされることにより仮止めされ、フィルター膜２４はカバー２３から容易に落ちない状態になる。そして、フィルター膜２４が仮止めされた状態でカバー２３をベース２２に取り付けることができるので、取付が容易に行えるという利点がある。
【００３１】
そして、前記カバー２３には、図４及び図５に示したように、前記ベース２２側である室外Ｏ側に突出する突起９１，・・・が三箇所に設けられている。この突起９１，・・・は、前記起立壁８２，・・・より中心側に形成されており、該突起９１，・・・も当該カバー２３を中心とした円弧状に形成されている。これにより、前記フィルター膜２４のカバー２３への密着を前記各突起９１，・・・で阻止できるように構成されている。
【００３２】
以上の構成にかかる本実施の形態において、このエアフィルター１を使用する際には、リング状のベース２２を、壁面１１に設けられた通流制御器１３の連通口２周縁のフランジ部１５に両面テープ２１で固定する。一方で、カバー２３にフィルター膜２４をセットする。この際フィルター膜２４の周縁はカバー２３の仮止め用リブ１０１の返し１０２によりフィルター膜２４はカバー２３に仮止めされ容易に落ちない状態になる。
【００３３】
そして、フィルター膜２４が仮止めされたカバー２３をベース２２に取り付ける。
【００３４】
このとき、前記ベース２２は従来と比較して幅広に形成されており、中央開口部３１より外側へ向かうに従って、小径用固定領域３２と中径用固定領域３３と大径用固定領域３４とが順に設定されている。
【００３５】
このため、小径の通気口２ａを形成する通流制御器１３ａに取り付ける際には、ベース２２内側の小径用固定領域３２を、前記通気口２ａ周縁のフランジ部１５ａに両面テープ２１ａを介して密着して固定することができる。また、中径の通気口２ｂを形成する通流制御器１３ｂに取り付ける際には、ベース２２の中間部に設定された中径用固定領域３３を、前記通気口２ｂ周縁のフランジ部１５ｂに両面テープ２１ｂを介して密着して固定することができる。そして、大径の通気口２ｃを形成する通流制御器１３ｃに取り付ける際には、ベース２２の外側に設定された大径用固定領域３４を、前記通気口２ｃ周縁のフランジ部１５ｃに両面テープ２１ｃを介して密着して固定することができる。
【００３６】
このように、固定用のベース２２には、小径用固定領域３２と中径用固定領域３３と大径用固定領域３４とが内側より順に設定されており、小径、中径、又は大径の通気口２ａ，２ｂ，２ｃに適合した固定領域３２〜３４を選択的に利用することによって、当該ベース２２を前記各通気口２ａ，２ｂ，２ｃの周縁部に密着して固定することができる。
【００３７】
したがって、ベース２２が特定の通気口２に応じた大きさに形成されたため、このベース２２が適合する大きさの通気口２以外に取り付けることができなかった従来と比較して、複数種の通気口２ａ，２ｂ，２ｃに取り付けることができる。これにより、予め定められた通気口２の規格数分のベース２２を用意しなければならなかった従来と比較して、製造コストを抑えることができ、低コスト化を図ることができる。
【００３８】
そして、ベース２２の大きさが、取り付けられる通気口２ａ，２ｂ，２ｃに適合しないといった理由による購入後の返品も防止することができる。
【００３９】
また、前記カバー２３には、起立壁８２，・・・が設けられているとともに、前記ベース２２に、前記カバー２３が取り付けられた状態で、前記起立壁８２，・・・の側面に接触又は近接して配置される保持用リブ５３，・・・が立設されており、前記カバー２３とベース２２間に設けられたフィルター膜２４を、前記カバー２３の起立壁８２，・・・側面と、前記ベース２２の保持用リブ５３，・・・の側面との間に挟持した状態で保持することができる。これにより、前記フィルター膜２４の挟持構造８３の簡素化を図ることができ、さらなる低コスト化を図ることができる。
【００４０】
さらに、前記ベース２２の中径用固定領域３３と大径用固定領域３４との境界部４１には、段差部４２が形成されており、該段差部４２外周側の外側領域４３は、その内側領域４４より固定面４５側に突出されている。これにより、この突出された外側領域４３の部位を通気口２周縁のフランジ部１５に固定した状態で、前記内側領域４４と固定部位としての通流制御器１３との間に逃げ代を確保することができる。
【００４１】
このため、前記通流制御器１３より、空気の通流量を制御するツマミが突出する場合であっても、前記逃げ代分、前記フィルター膜２４をカバー２３側へ回避させることができる。
【００４２】
このとき、前記カバー２３は、その中央部が室内Ｉ側へ膨出した球面状に形成されているため、前記ツマミとの干渉が防止される。
【００４３】
加えて、前記カバー２３には、前記ベース２２側へ突出する突起９１，・・・が設けられており、この突起９１，・・・によってフィルター膜２４のカバー２３への密着を防止することができる。これにより、該カバー２３とフィルター膜２４との間に、空気が通流する通流空間を確保することができるので、フィルター膜２４がカバー２３に密着してしまい、当該フィルター膜２４での空気の通過領域が激減してしまう場合と比較して、不用意な濾過機能の低下を防止することができる。
【００４４】
なお、本実施の形態では、起立壁８２及び保持用リブ５３をカバー２３若しくはベース２２の全周に亘って設けたが、これに限定されることなく、円弧状に複数個設けるようにしても良い。また、仮止め用リブ１０１は円弧状に八箇所設けるようにしたが、これに限定されず、全周に亘って設けるようにしてもいっこうにかまわない。
【００４５】
【発明の効果】
以上説明したように本発明の請求項１のエアフィルターにあっては、通気口の周縁部に固定されるベースに、小径用固定領域と中径用固定領域と大径用固定領域とが内側より順に設定されており、小径、中径、又は大径の通気口に適合した固定領域を利用することによって、当該ベースを通気口の周縁部に密着的に固定することができる。
【００４６】
したがって、ベースが特定の通気口に応じた大きさに形成されたため、このベースが適合する大きさの通気口以外に取り付けることができなかった従来と比較して、複数種の通気口に取り付けることができる。これにより、予め定められた通気口の規格数分のベースを用意しなければならなかった従来と比較して、製造コストを抑えることができ、低コスト化を図ることができる。
【００４７】
そして、ベースの大きさが、取り付けられる通気口に適合しないといった理由による購入後の返品も防止することができる。
【００４８】
また、請求項２のエアフィルターにおいては、ベースとカバー間に設けられたフィルター膜を、前記カバーに設けられた起立壁の側面と、前記ベースに設けられた保持用リブの側面との間に挟持した状態で保持することができる。これにより、前記フィルター膜の挟持構造の簡素化を図ることができ、さらなる低コスト化を図ることができる。
【００４９】
さらに、請求項３のエアフィルターでは、ベースに設定された各固定領域の境界部分の少なくとも一箇所に段差部を形成し、該段差部外周側の外側領域を、内側領域より固定面側に突出させることにより、この突出された部位を通気口の周縁部に固定した状態で、前記内側領域と固定部位との間に逃げ代を確保することができる。
【００５０】
このため、前記通気口が通流制御器により形成され、該通流制御器において空気の通流量を制御するツマミが突出する場合であっても、前記逃げ代分、前記フィルター膜をカバー側へ回避させることができる。
【００５１】
加えて、請求項４のエアフィルターにあっては、カバーには、ベース側へ突出する突起が設けられており、この突起によってフィルター膜のカバーへの密着を防止することができる。これにより、該カバーとフィルター膜との間に、空気が通流する通流空間を確保することができるので、フィルター膜がカバーに密着してしまい、当該フィルター膜での空気の通過領域が激減してしまう場合と比較して、不用意な濾過機能の低下を防止することができる。
【図面の簡単な説明】
【図１】本発明の一実施の形態を示すベースの平面図である。
【図２】図１のＡ−Ａ線に沿った断面図である。
【図３】図２の要部拡大図である。
【図４】同実施の形態のカバーを示す平面図である。
【図５】図４のＢ−Ｂ線に沿った断面図である。
【図６】同実施の形態の要部の断面を示す拡大図である。
【符号の説明】
１    エアフィルター
２    通気口
１１    壁面
１５    フランジ部
２２    ベース
２３    カバー
２４    フィルター膜
３１    中央開口部
３２    小径用固定領域
３３    中径用固定領域
３４    大径用固定領域
４１    境界部
４２    段差部
４３    外側領域
４４    内側領域
４５    固定面
５３    保持用リブ
７１    開口部
７６    スリット
８２    起立壁
８３    挟持構造
９１    突起
【図１】
0003840101.tif 000002
【図２】
0003840101.tif 000003
【図３】
0003840101.tif 000004
【図４】
0003840101.tif 000005
【図５】
0003840101.tif 000006
【図６】
0003840101.tif 000007